(57)【要約】【課題】パソコン等からの入力画像信号を表示する際、照明環境に合わせて表示画像の視認性を向上させることのできる画像表示装置を提供することを目的とする。【解決手段】プロジェクタ１００周辺の照度を検出する照度センサ９４の検出結果が明るいと判断する値であり、かつ、入力画像信号のＡＰＬが低い場合は、入力画像信号に白伸張と黒伸長を行い、明るいと判断する値であり、かつ、ＡＰＬが高い場合は、白伸長は行わず、暗いと判断する値の場合は、白伸張も黒伸長も行わず、出力して画像表示する。【選択図】図３
2009276424.tif 000002
【特許請求の範囲】
【請求項１】
画像信号を入力する入力手段と、
前記画像信号の平均輝度レベル（ＡＰＬ）を検出するＡＰＬ検出手段と、
装置周辺の照度を検出する照度検出手段と、
前記画像信号を白伸長する白伸長手段と、
前記画像信号を黒伸長する黒伸長手段とを具備し、
前記ＡＰＬ検出手段によるＡＰＬ検出結果と前記照度検出手段による装置周辺照度の検出結果により、前記白伸長手段または／及び前記黒伸長手段が白伸長または／及び黒伸長して画像出力して表示することを特徴とする画像表示装置。
【請求項２】
前記照度検出手段の検出結果が明るいと判断する第１の設定値以上で、かつ、前記ＡＰＬ検出手段が検出したＡＰＬ値が第２の設定値以下の場合は、白伸張と黒伸長を行うことを特徴とする請求項１記載の画像表示装置。
【請求項３】
前記第１の設定値以上で、かつ、前記ＡＰＬ値が第３の設定値以上の場合は、白伸張を行わないことを特徴とする請求項２記載の画像表示装置。
【請求項４】
前記白伸長手段及び前記黒伸長手段により白伸張または黒伸張した後、色補正することを特徴とする請求項１乃至３のいずれかに記載の画像表示装置。
【請求項５】
前記照度検出手段の検出結果が暗いと判断する前記第１の設定値未満の場合は、前記ＡＰＬ値に関わらず、白伸張も黒伸長も行わないことを特徴とする請求項２記載の画像表示装置。
【請求項６】
前記第１の設定値を１００ルクスとしたことを特徴とする請求項２または３記載の画像表示装置。
【請求項７】
前記第２の設定値を３０％としたことを特徴とする請求項２記載の画像表示装置。
【請求項８】
前記第３の設定値を４０％としたことを特徴とする請求項３記載の画像表示装置。
【請求項９】
前記照度検出手段は、照度センサを画像表示装置本体の天面に配置したものであることを特徴とする請求項１記載の画像表示装置。
【請求項１０】
画像表示装置はプロジェクタであることを特徴とする請求項１乃至９のいずれかに記載の画像表示装置。
【請求項１１】
請求項１０記載の画像表示装置と、前記画像表示装置から画像が投写されるスクリーンと、照度センサとから構成される画像表示システム。
【請求項１２】
前記照度センサは前記画像表示装置本体から分離可能であることを特徴とする請求１１記載の画像表示システム。
【発明の詳細な説明】
【技術分野】
【０００１】
本発明は、パソコンなどからの入力画像を表示させるための画像表示装置及び画像表示システムに関する。
【背景技術】
【０００２】
プロジェクタなどの画像表示装置を用いて、プレゼンテーションなどを行う場合、部屋の照明やスクリーンなどの影響により、プレゼンテーターが作成したチャートをパソコン画面のような視認性で表現することが困難な場合が多い。
【０００３】
そこでこの課題に対して、白成分を含むＲＧＢ入力映像信号の白成分を減少させ、逆に補色成分、原色成分を増やして色の視認性を向上させ、さらに、この周辺の照明環境を認識させるため光センサで測光し、入力映像信号をルックアップテーブルにて変換し、出力することで、最適な視認性の向上を図る技術が開示されている（特許文献１参照）。
【０００４】
また、周囲が明るい場合は、映像の低輝度部分のコントラストを強くし、平均輝度レベルが低いときは、ブライトを高くする技術が開示されている（特許文献２参照）。
【特許文献１】特開２００５−１８４５８６号公報
【特許文献２】特開２００６−１１９２００号公報
【発明の開示】
【発明が解決しようとする課題】
【０００５】
しかしながら、上記特許文献１では、色の視認性を向上させるために白成分を検出し、白成分が多いほど、補色成分及び原色成分を増加させるため、肌色のような人間の記憶色についても、過剰に色処理されてしまい、結果として映像品位を悪くしていた。
【０００６】
また、特許文献２では、周辺照度を検出し、周囲が明るい場合は映像の低輝度部分のコントラストを強くし、平均輝度レベル（ＡＰＬ）が低いときはブライトを高くする技術が開示されているが、ＡＰＬが低い場合、ブライトを上げると、黒浮きが目立ち、結果として、コントラストが低下するという課題があり、いずれの場合も最適な画像処理による視認性向上を実現することが出来なかった。
【０００７】
本発明は、上記のこのような課題を考慮し、パソコン等からの入力画像信号を表示する際、照明環境に合わせて表示画像の視認性を向上させることのできる画像表示装置及び画像表示システムを提供することを目的とするものである。
【課題を解決するための手段】
【０００８】
この目的を達成するために第１の本発明は、画像信号を入力する入力手段と、前記画像信号の平均輝度レベル（ＡＰＬ）を検出するＡＰＬ検出手段と、装置周辺の照度を検出する照度検出手段と、前記画像信号を白伸長する白伸長手段と、前記画像信号を黒伸長する黒伸長手段とを具備し、前記ＡＰＬ検出手段によるＡＰＬ検出結果と前記照度検出手段による装置周辺照度の検出結果により、前記白伸長手段または／及び前記黒伸長手段が白伸長または／及び黒伸長して画像出力して表示する画像表示装置である。
【０００９】
この構成によれば照明下での画像表示において、白伸張または、及び黒伸張によるコントラストが向上し、映像の視認性を上げることができるという作用を有する。
【００１０】
第２の本発明は、前記照度検出手段の検出結果が明るいと判断する第１の設定値以上で、かつ、前記ＡＰＬ検出手段が検出したＡＰＬ値が第２の設定値以下の場合は、白伸張と黒伸長を行う画像表示装置である。
【００１１】
この構成によれば、周辺の照明があると判定され、かつＡＰＬが低い場合に、白伸張と黒伸張共に行うので、最もコントラストを上げることができるので、最大限の視認性向上効果を得ることができるという作用を有する。
【００１２】
第３の本発明は、前記第１の設定値以上で、かつ、前記ＡＰＬ値が第３の設定値以上の場合は、白伸張を行わないことを特徴とするものであるので、入力信号の高輝度信号成分の諧調を損なうことなく、画像表示できるという作用を有する。
【００１３】
第４の本発明は、前記白伸長手段及び前記黒伸長手段により白伸張または黒伸張した後、色補正する画像表示装置である。
【００１４】
この構成により、諧調補正したことによる輝度信号と色信号との間に生じた比率差を補正することで、色が変化しないようにできるという作用を有する。
【００１５】
第５の本発明は、前記照度検出手段の検出結果が暗いと判断する前記第１の設定値未満の場合は、前記ＡＰＬ値に関わらず、白伸張も黒伸長も行わない画像表示装置である。
【００１６】
この構成によれば、周辺照度が暗い場合は、映像信号が持つ本来の階調を表現することができるため、白伸張も黒伸長も行わない方がよい。
【００１７】
第６の本発明は、前記第１の設定値を１００ルクスとしたことを特徴とする画像表示装置であり、照度が１００ルクス以上の電圧レベルで明るいと判断できる。
【００１８】
第７の本発明は、前記第２の設定値を３０％とした画像表示装置であり、映像信号のＡＰＬ値が３０％以下で低いと判断できる。
【００１９】
第８の本発明は、前記第３の設定値を４０％とした画像表示装置であり、映像信号のＡＰＬ値が４０％以上で高いと判断できる。
【００２０】
第９の本発明は、前記照度検出手段は照度センサを前記画像表示装置本体の天面に配置したものであることを特徴とする画像表示装置である。
【００２１】
この構成によれば、天面上に照度センサが配置されており、画像表示装置周辺の照度を正確に検知することができる。
【００２２】
第１０の本発明は、画像表示装置がプロジェクタであることを特徴としており、プロジェクタにて構成することで最も視認性向上の作用を得られる。
【００２３】
第１１の本発明は、画像表示装置と、前記画像表示装置から画像が投写されるスクリーンと、照度センサとから構成される画像表示システムである。
【００２４】
この構成によれば、スクリーンに投写した映像に対して照度センサの検出値により最適な補正を施し、コントラストのある映像を表示できる作用を有する。
【００２５】
第１２の本発明は、照度センサは前記画像表示装置本体から分離可能であるので、照明器具近傍の極度に高い照度位置から離して、室内全体の照度をセンシングすることができる作用を持つ。
【発明の効果】
【００２６】
以上のように、本発明によれば、パソコンなどからの入力画像信号に対して、装置周辺の照度に応じて表示すべき画像を黒伸張及びまたは白伸張させるのでコントラストを向上でき、照明環境に合わせて表示画像の視認性を向上させることができるという効果がある。
【発明を実施するための最良の形態】
【００２７】
以下では、本発明にかかる実施の形態について、図面を参照しつつ説明を行う。
【００２８】
（実施の形態１）
図１は、本発明の実施形態１の画像表示装置であるプロジェクタの外観図、図２はプロジェクタの詳細ブロック図である。
【００２９】
図１において、プロジェクタ１００は入力された映像信号を処理し、ＰＯＷＥＲボタン１５を押すことで、図示されていない内部の光源及びライトバルブを用いて、投写レンズ１９０より拡大投写映像を出力する。
【００３０】
入力としては、Ｖｉｄｅｏ入力１１とＲＧＢ入力１３を持ち、それぞれ外部のパソコンなどの映像信号出力機器（図示省略）を接続する。
【００３１】
また、ＵＳＢなどのマウスポート１３０を備え、マウス２００を接続してプロジェクタ１００のセッティング状態や、画面上を移動できるポインタとして動作させる。
【００３２】
操作ボタン１４でもマウス２００と同一の機能を実現させることが出来る。
【００３３】
次に、図２において、ＶＩＤＥＯ端子１１は、ＮＴＳＣ方式のコンポジットビデオ信号を入力するための端子である。
【００３４】
Ｓ−ＶＩＤＥＯ端子１２は、Ｓビデオ信号を入力するための端子である。
【００３５】
ＲＧＢ／ＹＰｂＰｒ端子１３は、ＲＧＢ信号またはＹＰｂＰｒ信号を入力するための端子である。
【００３６】
入力セレクタ２１は、ＶＩＤＥＯ端子１１から入力されたコンポジットビデオ信号、Ｓ−ＶＩＤＥＯ端子１２から入力されたＳビデオ信号の内から何れかの信号を選択するためのセレクタである。
【００３７】
Ｙ／Ｃ分離回路２３は、カラーデコーダ２２によって入力されたコンポジットビデオ信号を、Ｙ信号とＣ信号とに分離するための回路である。
【００３８】
カラーデコーダ２２は、Ｙ／Ｃ分離された信号または入力されたＹ／Ｃ信号をＹＰｂＰｒ信号にカラーデコードするためのデコーダである。
【００３９】
マトリクス回路２４は、ＲＧＢ／ＹＰｂＰｒ端子１３から入力されたＹＰｂＰｒ信号をＲＧＢ信号へ変換する際にマトリクス処理を行うための回路である。
【００４０】
入力セレクタ２５は、ＲＧＢ／ＹＰｂＰｒ端子１３から入力されたＲＧＢ信号、マトリクス回路２４によって生成されたＲＧＢ信号の内から何れかの信号を選択するためのセレクタである。
【００４１】
入力セレクタ２６は、カラーデコーダ２２によって生成されたＹＰｂＰｒ信号、入力セレクタ２５によって入力されたＲＧＢ信号の内から何れかのアナログ信号を選択するためのセレクタであり、選択されたアナログの映像信号はＡ/Ｄコンバータ３０へ、同期信号はリサイズ回路４０、伸張回路５０、マイコン７０へ供給される。
【００４２】
Ａ／Ｄコンバータ３０は、入力セレクタ２６によって選択されたアナログ信号を、８ｂｉｔのデジタル信号へＡ／Ｄコンバートするためのコンバータである。
【００４３】
リサイズ回路４０は、Ａ／Ｄコンバータ３０によってＡ／Ｄコンバートされたデジタル信号を、ＬＣＤ（Ｌｉｑｕｉｄ  Ｃｒｙｓｔａｌ  Ｄｉｓｐｌａｙ）パネル９１〜９３の画素数に応じてリサイズし、オンスクリーンを重畳させるための回路である。
【００４４】
伸張回路５０は、リサイズ回路４０が出力したＲＧＢデータを所定の色へ変換する回路である。
【００４５】
メインマイコン７０は、電源（図示省略）制御、ファン（図示省略）制御、温度制御、入力切り換え制御など装置全体のあらゆる制御を行うとともに、外部インタフェース７１からのデータに基づき、伸張回路５０へデータを転送したり、リサイズ回路４０に対してフリーズ制御を行う。併せて照度センサ９４からの照度レベル電圧を受け、伸張回路の黒伸張や白伸張のゲインデータを転送する。
【００４６】
デジタル相展開回路８１〜８３は、ＬＣＤパネル９１〜９３の駆動ドライバ（図示省略）の動作速度を考慮して、伸張回路５０によって補正されたデジタル信号を相展開するための回路である。
【００４７】
パネル駆動ＩＣ（Ｉｎｔｅｇｒａｔｅｄ  Ｃｉｒｃｕｉｔ）９０は、ＬＣＤパネル９１〜９３を駆動するための回路である。
【００４８】
ＬＣＤパネル９１〜９３は、伸張回路５０によって補正され、デジタル相展開回路８１〜８３によって相展開されたデジタル信号をカラー表示するためのパネルである。
【００４９】
さらに図２に示した伸張回路５０のブロック図を図３に示す。
【００５０】
図２のリサイズ回路４０から出力されたＹＵＶ信号を、白伸張回路５１にて白伸張させる。
【００５１】
具体的な伸張レベルは図４の入出力図に示すように、予め設定したＰ１ポイント以上の入力輝度レベルに対して所定の伸張ゲインを乗算して、輝度信号（Ｙ）の出力レベルを上げる。
【００５２】
乗算結果が出力輝度レベルの最大値以上になった場合は出力レベルをクリップする。
【００５３】
他方、黒伸張回路５３では黒伸張を行う。
【００５４】
この具体的な伸張レベルは図５の入出力図に示すように、予め設定したＰ２ポイント以下の入力輝度レベルに対して所定の伸張ゲインを乗算して、輝度の出力レベルを下げる。
【００５５】
乗算結果が出力輝度レベルのゼロ以下となった場合は、ゼロにクリップする。
【００５６】
白伸張回路５１及び黒伸張回路５３で伸張されたそれぞれの信号は、それぞれ色補正回路５２で色補正される。
【００５７】
これは、輝度信号のみ伸張ゲインがかかってしまうと、色が変化してしまうため、輝度信号レベルの変化に応じて色信号（Ｕ、Ｖ）についても同様のゲインを乗算して補正するものである。
【００５８】
色補正回路５２の構成は図６のブロック図に示す通り、色信号（Ｕ、Ｖ）に乗算器５２ａを具備し、Ｐ１ポイント以上の場合やＰ２ポイント以下の場合、入力輝度信号に対して所定のゲインを乗算して出力する。
【００５９】
次の選択合成部５５においては、ＡＰＬ検出部５４と照度センサ９４から得た検出値５７によって、白伸張結果や黒伸張結果を出力するかどうかを判定し、最終的なＹＵＶを生成する。
【００６０】
これを次のマトリクス回路５６にてＲＧＢ信号に変換して、後段の回路へ出力する。
【００６１】
以上のように構成された本実施の形態の画像表示装置であるプロジェクタ１００における動作を説明する。
【００６２】
ＲＧＢ／ＹＰｂＰｒ端子１３から入力された、パソコンのＲＧＢ信号をＡ／Ｄ変換、リサイズした後、伸張回路５０に入力する。
【００６３】
この時、プロジェクタ１００周辺の環境照度は照度センサ９４により、あらかじめセンシングされており、マイコン７０では環境照度１５０ルクスと判別できているとして、この明るい状態の場合は黒伸張回路５３の出力結果を反映するよう、選択合成部５５にデータを転送する。
【００６４】
一方ＡＰＬ検出部５４では、１フレーム前の１画面の全ての画素の加算平均によるＡＰＬを算出し、入力信号のプレゼンテーション用チャートの背景がブルーであり、ＡＰＬは２５％と低かったとする。
【００６５】
したがって、このような場合には、白伸張処理も行うことを選択合成部５５が判定する。
【００６６】
白伸張回路５１では、Ｐ１レベルが１２８（８ｂｉｔ信号レベルの中間値）と設定されており、現フレームの中に１２８レベルより高い入力輝度レベルの信号に対して、画素毎に１．３倍の白伸張ゲインが乗算される。
【００６７】
１画面の全ての画素の加算平均によるＡＰＬが５０％と高いような場合には、白伸長ゲインは乗算されない。
【００６８】
また、後段の色補正回路５２ではＵＶ色信号に対して同様に１．３倍のゲインが乗算される。
【００６９】
黒伸張回路５３では、Ｐ２レベルが３２（８ｂｉｔ２５５レベルにおける１／８）に設定されており、これ以下の入力輝度レベルに対しては０．９倍の黒伸張ゲインが乗算される。
【００７０】
黒伸張回路５３の後段の色補正回路５２では、ＵＶ色信号に対して同様にＰ２ポイント以下の入力色信号に対して０．９倍が乗算される。
【００７１】
選択合成部５５では、ＡＰＬが低いので白伸張結果ＯＮ、照度が高いので黒伸張結果ＯＮ、との判別が出来ており、それぞれの結果を有効にした諧調補正特性により諧調を変化させ、コントラストを向上させて、結果的に視認性を上げられる画像表示を実現する。
【００７２】
このように、ＡＰＬが３０％以下と低く、周辺の環境照度が高い場合、黒伸張も白伸張も処理を施すことができ、投写画像の１画面において、コントラストのある効果を最も発揮させることができる。
【００７３】
但し、ＡＰＬが４０％以上あるような高い画像信号の場合は、白伸張処理を行うと、高輝度入力信号レベルの部分の諧調がなくなるため、ＡＰＬが高い入力信号に対しては、白伸張処理は行わないことはいうまでもない。
【００７４】
（実施の形態２）
図７は、本発明の実施形態２の画像表示装置であるプロジェクタを用いた画像表示システムを示す概略構成図である。
【００７５】
本実施の形態では、実施形態１の図１のＲＧＢ入力端子１３に接続されたパソコン６１の画像を、プロジェクタ１００にてスクリーン１１０に投写する。
【００７６】
この時、プロジェクタ１００に対してリモコン６０は各機能の制御を行う。
【００７７】
照度センサ９４はプロジェクタ１００の天面に取り付けられており、プロジェクタ１００の周辺照度を計測する。
【００７８】
また、実施形態１の図２に示すように、照度センサ９４からの検出値はメインマイコン７０に入力されている。
【００７９】
本実施の形態におけるプロジェクタ１００は、実施の形態１のものと同じであり、別の使用状況における動作を実施の形態１の図２、図３、および図７を用いて説明する。
【００８０】
プロジェクタ１００は、ＲＧＢ／ＹＰｂＰｒ端子１３から入力された、パソコン６１のＲＧＢ信号をＡ／Ｄ変換、リサイズした後、伸張回路５０に入力する。
【００８１】
この時、プロジェクタ１００周辺の環境照度は、照度センサ９４によりあらかじめセンシングされており、マイコン７０では環境照度４０ルクスと判別できているとして、この暗い状態の場合は、白伸張回路５１、黒伸張回路５３の出力結果を反映しないよう、選択合成部５５にデータを転送する。
【００８２】
したがって、周辺照度が暗い場合は、映像信号が持つ本来の階調を表現することができる。
【００８３】
一方、パソコン６１を用いてプレゼンテーションを行っている途中に、照明が点灯され、プロジェクタ１００の周辺照度が一気に４００ルクスとなったような場合、マイコン７０は、照度センサ９４からの電圧が高くなるため、明るい環境と判断して、黒伸張回路５３の出力結果を反映するよう、選択合成部５５にデータを転送する。
【００８４】
また、ＡＰＬ検出部５４では、１フレーム前の１画面の全ての画素の加算平均によるＡＰＬを算出し、入力信号のプレゼンテーション用チャートの背景がホワイトであり、ＡＰＬは５０％と高かったとする。
【００８５】
このような場合には、白伸張処理の結果を反映しないように、選択合成部５５へ結果を導く。
【００８６】
しかしながら、プレゼンテーション用チャートが変わり、ＡＰＬが２０％と低くなった時点で、白伸張回路５１の結果が反映されるように働く。
【００８７】
この時、Ｐ１レベルが６４（８ｂｉｔ信号２５５レベル最大時における）と設定されており、それ以上の入力輝度レベルには１．３倍の白伸張ゲインが乗算される。
【００８８】
また、後段の色補正回路５２では、ＵＶ色信号に対して同様に１．３倍のゲインが乗算される。
【００８９】
黒伸張回路５３では、Ｐ２レベルが１６（８ｂｉｔ２５５レベルにおける１／１６）に設定されており、これ以下の入力輝度レベルに対しては０．９倍の黒伸張ゲインが乗算される。
【００９０】
黒伸張回路５３の後段の色補正回路５２では、ＵＶ色信号に対して同様にＰ２ポイント以下の入力色信号に対して０．９倍が乗算される。
【００９１】
この時、選択合成部５５では、ＡＰＬが低いので白伸張結果ＯＮ、照度が高いので黒伸張結果ＯＮ、との判別が出来ており、それぞれの結果を有効にした諧調補正特性により諧調を変化させ、コントラストを向上させて、結果的に視認性を上げられる画像表示を実現する。
【００９２】
このように、周辺照度が低い場合は、白伸長・黒伸張処理はされないが、ＡＰＬが低く、周辺の環境照度が高い場合は、黒伸張も白伸張も処理を施すことができ、投写画像の１画面において、コントラストのある効果を最も発揮させることができる。
【００９３】
以上のように、照明下での画像表示において、白伸張、もしくは及び黒伸張によるコントラストが向上し、映像の視認性を上げることができるという効果を有する。
【００９４】
また、周辺の照明があると判定され、かつＡＰＬが低い場合に、白伸張と黒伸張共に行うので、最もコントラストを上げることができるので、最大限の視認性向上効果を得ることができるという効果を有する。
【００９５】
さらに、ＡＰＬが高い場合は、白伸張を行わないので、入力信号の高輝度信号成分の諧調を損なうことなく、画像表示できるという効果を有する。
【００９６】
一方、諧調補正したことによる輝度信号と色信号との間に生じた比率差を補正することで、色が変化しないようにできる効果を有する。
【００９７】
また、プロジェクタで投写した場合、装置天面に配置した照度センサの値が１００ルクス以上に相当するレベルを明るいと判定することで、白伸長の効果を最適にＯＮ／ＯＦＦさせることができるという実験結果を得ており、これにより、効果的なコントラストを向上させることができる。
【００９８】
また、本実施の形態では、照度センサ９４をプロジェクタ１００の天面に取り付けるようにしたが、これを、例えば、リモコンに内蔵させるなど、本体と分離できるようにしてもよい。
【００９９】
こうすれば、プロジェクタが箱に収納された場合や、照明が近接している場合などには移動させて、適切な場所の照度を得ることができる。
【０１００】
なお、上記実施の形態において、実験結果に基づき、周辺照度が１００ルクス以上で、かつ、ＡＰＬが３０％以下であれば、白、黒共伸長、周辺照度が１００ルクス以上で、かつ、ＡＰＬが４０％以上であれば、黒のみ伸長、周辺照度が１００ルクスに満たない場合は白、黒共伸長しない、としたが、その中間、つまり、周辺照度が１００ルクス以上で、かつ、ＡＰＬが３０−４０％の場合は、白、黒共伸長しても良いし、黒伸長のみでもよい。
【０１０１】
また、これらの数値は、画像表示装置の固有特性、映像コンテンツ、スクリーンに投写するものにおいてはスクリーンとの距離等により設定を適宜変更可能である。
【０１０２】
また、白伸長のＰ１ポイント、黒伸長のＰ２ポイントの設定、伸張ゲインの設定も、同様に適宜変更可能である。
【０１０３】
これにより、照明環境に合わせて画像表示装置に表示された画像の視認性を向上させることができる。
【０１０４】
以上説明した本発明の画像表示装置は、プロジェクタとして述べているが、プロジェクタに限定されるものではなく、プラズマディスプレイ、液晶ディスプレイなどの一般的な画像表示装置でも実現できるものである。
【産業上の利用可能性】
【０１０５】
本発明にかかる画像表示装置は、パソコンなどからの入力信号に対して、表示すべき画像をより強調して表示させることにより、照明環境に合わせて表示画像の視認性を向上させることができるという効果を有し、パソコンなどからの入力信号を表示させるためのプロジェクタ等の画像表示装置及び画像表示システムに適する。
【図面の簡単な説明】
【０１０６】
【図１】本発明の実施の形態１の画像表示装置であるプロジェクタの外観図
【図２】同プロジェクタのブロック図
【図３】同プロジェクタの伸長回路を示すブロック図
【図４】同プロジェクタの白伸長を示す入出力図
【図５】同プロジェクタの黒伸長を示す入出力図
【図６】同プロジェクタの色補正回路を示すブロック図
【図７】本発明の実施の形態２の画像表示装置であるプロジェクタを用いた表示システムを示す概略構成図
【符号の説明】
【０１０７】
１１  ＶＩＤＥＯ端子
１２  Ｓ−ＶＩＤＥＯ端子
１３  ＲＧＢ／ＹＰｂＰｒ端子
１４  操作ボタン
１５  ＰＯＷＥＲボタン
２１  入力セレクタ
２２  カラーデコーダ
２３  Ｙ／Ｃ分離回路
２４  マトリクス回路
２５  入力セレクタ
２６  入力セレクタ
３０  Ａ／Ｄコンバータ
４０  リサイズ回路
５０  伸長回路
５１  白伸長回路
５２  色補正回路
５３  黒伸長回路
５４  ＡＰＬ検出部
５５  選択合成部
５６  マトリクス回路
５７  照度センサ検出値
６０  リモコン
６１  パソコン
７０  メインマイコン
７１  外部インタフェース
８１〜８３  デジタル相展開回路
９０  パネル駆動ＩＣ
９１〜９３  ＬＣＤパネル
９４  照度センサ
１００  プロジェクタ
１１０  スクリーン
１３０  マウスポート
２００  マウス
【図１】
2009276424.tif 000003
【図２】
2009276424.tif 000004
【図３】
2009276424.tif 000005
【図４】
2009276424.tif 000006
【図５】
2009276424.tif 000007
【図６】
2009276424.tif 000008
【図７】
2009276424.tif 000009